(57)【要約】      （修正有）【課題】ドリップ時間が短縮され、飲用時の口当り及び使用時の利便性が向上するドリップカプセルの構造を提供する。【解決手段】ドリップカプセル３０の構造であって、ドリップ材料４０を充填するための収容室３１１がケース３１内に設けられており、当該ケース３１の第１端に封止板３１３が設けられており、当該ケース３１の第２端は開口状とされ、フレーム３２が当該ケース３１の収容室３１１内に装着されており、当該フレーム３２には当該封止板３１３に向かう複数の攪流片３２１が突設されており、当該ケース３１の第２端にはフィルター３３が設けられており、且つ、シール３４によって当該ケース３１が密封されるよう塞がれている。これにより、ドリップ使用時には、当該フレーム３２の各攪流片３２１によって、当該ケース３１の収容室３１１内に注ぎ込まれた熱湯が各攪流片３２１に衝突し、周囲に螺旋乱流を形成して攪流作用が発生する。【選択図】図９
0003213514.tif 000002
【実用新案登録請求の範囲】
【請求項１】
周側に側板が設けられており、当該側板の第１端に封止板が設けられており、当該側板の第２端は開口状とされ、当該ケースの内部には収容室が形成されており、当該収容室にドリップ材料が充填されているケースと、
当該ケースの収容室に装着されるとともに、当該ケースの封止板に向かう複数の攪流片が突設されているフレームと、
当該ケースの収容室内のドリップ材料を濾過するよう、当該ケースの第２端に設けられたフィルターと、
当該ケースの第２端を密封するよう塞ぐシール、を含むドリップカプセルの構造。
【請求項２】
当該フレームには、当該ケースの第２端に嵌合される嵌合リングが設けられている請求項１記載のドリップカプセルの構造。
【請求項３】
当該嵌合リングの端面にはグリッド状の接続部が設けられており、当該グリッド状の接続部の間には複数の貫通溝が分布しており、当該接続部の一方の側面には、当該封止板に向かう複数の攪流片が一体的に接続されるよう突設されている請求項２記載のドリップカプセルの構造。
【請求項４】
当該接続部には、等分角度位置ごとに、Ｖ型をなす角度で配置される２つの攪流片がそれぞれ設けられている請求項３記載のドリップカプセルの構造。
【請求項５】
当該フィルターは、当該ケースの第２端における内リング面に固定されるか、或いは、当該フレーム上に固定されている請求項３記載のドリップカプセルの構造。
【請求項６】
当該フィルターは、当該フレームの接続部における他方の側面に固定されており、当該接続部の他方の側面には複数の突条が設けられており、且つ、高周波或いは熱圧によって、当該接続部上の突条で当該フィルターを溶融接続し、固定することで、当該収容室内のドリップ材料を濾過するよう、当該フィルターが当該接続部の各貫通溝を覆っている請求項５記載のドリップカプセルの構造。
【請求項７】
当該ケースの側板における第２端には、突設リングが外側に延伸するよう設けられており、当該シールは、熱圧により当該突設リングに貼り合わされて、当該ケースの第２端を密封するよう塞いでいる請求項１記載のドリップカプセルの構造。
【考案の詳細な説明】
【技術分野】
【０００１】
本考案は、特に、飲用時の口当りや使用時の利便性向上との効果を達するべく、ドリップ抽出効果を大幅に向上可能なほか、ドリップ時間を短縮可能なカプセル式ドリップ機に応用されるドリップカプセルの構造を提供する。
【背景技術】
【０００２】
一般的に、茶葉やコーヒーはドリップして飲用されることが多い。そこで、ドリップの使用ニーズに応えるべく、業界では茶葉やコーヒーといった飲料品をドリップしやすいよう、カプセル式ドリップ機に組み合わせて使用されるドリップカプセルを製造している。図１を参照して、茶葉をドリップするドリップカプセルを例示すると、当該ドリップカプセル１０にはケース１１が設けられており、当該ケース１１の内部には収容室１１１が設けられている。当該収容室１１１の第１端には封止板１１２が設けられており、第２端は開口となっている。また、茶葉が充填されたメッシュバッグ１２が当該ケース１１の収容室１１１内に放置されるとともに、シール１３によって当該ケース１１の第２端における開口が密封されるよう塞がれる。
【０００３】
図２及び図３を参照して、当該ドリップカプセル１０は、カプセル式ドリップ機２０に組み合わせて使用される。当該カプセル式ドリップ機２０には、当該ドリップカプセル１０を放置するための上部が開口した収容部２０１が設けられている。また、当該収容部２０１の開口側方には、回動することで当該収容部２０１の開口を開閉可能なカバープレート２０２が設けられている。また、当該収容部２０１の一方の側には、押動部材２１と、給水口２２１を備えた給水管２２とが設けられている。当該押動部材２１及び給水管２２と、当該カバープレート２０２との間にはリンク群２３が連結されているため、カバープレート２０２が回動すると、当該リンク群２３の連結によって当該押動部材２１及び給水管２２が横方向に往復変位可能である。また、当該収容部２０１の他方の側には、複数のＶ型穿刺部２４１と導流通路２４２とを備えたガードプレート２４が設けられており、当該ガードプレート２４の導流通路２４２の下方には漏斗状の出力管２５が設けられている。図３及び図４を参照して、ドリップ使用時には、ドリップカプセル１０を当該カプセル式ドリップ機２０の収容部２０１内に放置し、カバープレート２０２を回動する。すると、当該リンク群２３の連結により押動部材２１と給水管２２がドリップカプセル１０に向かって横方向に移動し、当該押動部材２１がドリップカプセル１０を押動するとともに、給水管２１が当該ドリップカプセル１０のケース１１の第１端における封止板１１２を穿刺する。これにより、当該給水管２１の給水口２２１が当該ケース１１の収容室１１１内に延伸する。一方で、ドリップカプセル１０が押動部材２１に押動されると、当該ガードプレート２４によってドリップカプセル１０の第２端が当止され、当該ガードプレート２４の各穿刺部２４１が第２端におけるシール１３に複数の孔を穿刺する。図５を参照して、続いて、当該給水管２２の給水口２２１から当該ケース１１の収容室１１１内に熱湯が注ぎ込まれる。熱湯が当該ケース１１の収容室１１１内に充満すると、熱湯の供給が停止され、当該メッシュバッグ１２内の茶葉が熱湯内で所定の時間浸漬されることにより、茶液が抽出される。図６を参照して、所定の浸漬時間に達すると、当該給水管２２の給水口２２１から当該ケース１１の収容室１１１内に再び熱湯が注ぎ込まれ、当該ケース１１の収容室１１１内で抽出された茶液と混合される。そして、圧力を加えることで、混合された茶液をガードプレート２４の各穿刺部２４１によってシール１３に穿刺された孔から排出し、導流経路２４２から出力管２５に流出させて、飲用に供すべく出力する。ただし、当該ドリップカプセル１０には、使用にあたり次のような弊害がある。
【０００４】
１．当該ドリップカプセル１０の収容室１１１内には茶葉のメッシュバッグ１２のみが充填されているため、当該収容室１１１はほぼ障害のない空間であるといえる。そのため、給水管２１の給水口２２１が当該収容室１１１内に熱湯を注ぎ込む際に、熱湯は当該収容室１１１内において穏やかに流動することになる。よって、水流にメッシュバッグ１２を攪動するための螺旋乱流が生じにくく、水流の攪動を利用してメッシュバッグ１２内の茶葉からの抽出効果を高めることは不可能である。
【０００５】
２．給水管２１の給水口２２１が当該ケース１１の収容室１１１内に熱湯を注ぎ込み、浸漬により茶液を抽出する際に、当該ケース１１の収容室１１１内の茶葉はメッシュバッグ１２に充填されている。そのため、熱湯を注ぎ込む過程において、茶葉はメッシュバッグ１２に阻まれてしまい、水流に伴う攪動が困難となる。よって、茶葉が均一に分散して熱湯内に浸漬されることは不可能であり、所定の浸漬時間に達しても抽出が不十分な場合が度々発生する。結果、ドリップされた茶液が薄く、無味であり、飲用時の口当りに影響することもある。
【０００６】
３．茶葉から十分に茶液を抽出すべく、浸漬抽出時間を増やすよう調整することは可能であるが、これに伴って、使用者は長時間待機せざるを得なくなる。そのため、茶を迅速にドリップして飲用することができず、使用時の利便性に影響してしまう。
【０００７】
以上に鑑みて、本考案の考案者は、関連業界における長年の研究開発及び製造の経験に基づいて、現在直面している課題について研究を深めた。長期間にわたり研究と試作に努力を重ねた結果、ついに本考案の設計主旨である従来技術の瑕疵を効果的に改善可能なドリップカプセルの構造を開発した。
【考案の概要】
【考案が解決しようとする課題】
【０００８】
本考案は、ドリップ材料を充填するための収容室がケース内に設けられており、当該ケースの第１端には封止板が設けられており、当該ケースの第２端は開口状とされ、フレームが当該ケースの収容室内に装着されており、当該フレームには、当該封止板に向かう複数の攪流片が突設されており、当該ケースの第２端にはフィルターが設けられており、シールによって当該ケースが密封されるよう塞がれているドリップカプセルの構造を提供することを第１の目的とする。ドリップ使用時には、当該フレームの各攪流片によって、当該ケースの収容室内に注ぎ込まれた熱湯が各攪流片に衝突し、周囲に螺旋乱流を形成して攪流作用が発生する。このため、ドリップ材料が十分に攪動及び混合される結果、ドリップ抽出効果が大幅に向上するほか、飲用時の口当りが高まるとの実用的効果が得られる。
【０００９】
本考案は、当該フィルターがケースの第２端に設けられるため、ドリップ材料をメッシュバッグで包装する必要がなく、そのままケースの収容室内に充填可能なドリップカプセルの構造を提供することを第２の目的とする。これによれば、ドリップ使用時には、当該フレームの各攪流片によって、当該ケースの収容室内に注ぎ込まれた熱湯が各攪流片に衝突し、周囲に螺旋乱流を形成して攪流作用が発生する。このため、当該ドリップ材料がメッシュバッグに阻まれることなく十分に攪動及び混合される結果、ドリップ抽出効果が大幅に向上する
【００１０】
本考案は、当該フレームの各攪流片による攪流作用を利用することで、ドリップ材料の抽出効果を大幅に向上するとともに、これに伴って、ドリップ材料のドリップ時間を効果的に短縮して使用者の待ち時間を短縮可能なほか、使用時の利便性を向上するとの効果が得られるドリップカプセルの構造を提供することを第３の目的とする。
【図面の簡単な説明】
【００１１】
【図１】図１は、従来のドリップカプセルの構造を示す図である。
【図２】図２は、従来のドリップカプセルをカプセル式ドリップ機に組み合わせて使用する場合を示す図（１）である。
【図３】図３は、従来のドリップカプセルをカプセル式ドリップ機に組み合わせて使用する場合を示す図（２）である。
【図４】図４は、従来のドリップカプセルをカプセル式ドリップ機に組み合わせて使用する場合を示す図（３）である。
【図５】図５は、従来のドリップカプセルをカプセル式ドリップ機に組み合わせて使用する場合を示す図（４）である。
【図６】図６は、従来のドリップカプセルをカプセル式ドリップ機に組み合わせて使用する場合を示す図（５）である。
【図７】図７は、本考案の分解図である。
【図８】図８は、本考案の組み合わせ後の外観を示す図である。
【図９】図９は、本考案の組み合わせ後の断面図である。
【図１０】図１０は、図９のＡ−Ａ断面図である。
【図１１】図１１は、本考案のカプセル式ドリップ機と組み合わせて使用する場合を示す図（１）である。
【図１２】図１２は、本考案のカプセル式ドリップ機と組み合わせて使用する場合を示す図（２）である。
【図１３】図１３は、本考案のカプセル式ドリップ機と組み合わせて使用する場合を示す図（３）である。
【図１４】図１４は、本考案のカプセル式ドリップ機と組み合わせて使用する場合を示す図（４）である。
【図１５】図１５は、本考案における給水時の動作を示す図である。
【図１６】図１６は、本考案のカプセル式ドリップ機と組み合わせて使用する場合を示す図（５）である。
【考案を実施するための形態】
【００１２】
審査官が本考案を更に理解可能なように、好ましい実施例を挙げるとともに図面を組み合わせて、以下の通り詳述する。
【００１３】
図７〜１０を参照して、本考案のドリップカプセル３０は、ケース３１、フレーム３２、フィルター３３及びシール３４を含む。当該ケース３１の周側には、略円筒状の側板３１２が設けられている。当該側板３１２の第１端には封止板３１３が設けられており、当該側板３１２の第２端は開口状となっている。また、当該ケース３１の内部には、茶葉又はコーヒー等の顆粒状或いは粉末状のドリップ材料４０を直接充填するための収容室３１１が形成されている。また、当該ケース３１の収容室３１１内には当該フレーム３２が装着されており、当該フレーム３２には、当該封止板３１３に向かう複数の攪流片３２１が突設されている。本実施例において、当該フレーム３２には、当該ケース３１の第２端に嵌合される嵌合リング３２２が設けられている。当該嵌合リング３２２の端面には、グリッド状の接続部３２３が設けられており、当該グリッド状の接続部３２３の間に複数の貫通溝３２４が分布している。また、当該接続部３２３の一方の側面には、当該封止板３１３に向かう複数の攪流片３２１が一体的に接続されるよう突設されている。本実施例において、当該攪流片３２１については、当該接続部３２３の等分角度位置（例えば６０度）ごとに、Ｖ型をなす角度で配置される２つの攪流片３２１がそれぞれ設けられている。当該フィルター３３は不織布等の多孔性材質からなり、ドリップ時に収容室３１１内のドリップ材料４０を濾過するよう、当該ケース３１の第２端に固定されている。当該フィルター３３は、ケース３１の第２端における内リング面に貼り合わせることで固定してもよいし、フレーム３２上に貼り合わせることで固定してもよい。本実施例において、当該フィルター３３は、当該フレーム３２の接続部３２３における他方の側面に固定されている。当該接続部３２３の他方の側面には複数の突条３２５が設けられており、高周波或いは熱圧によって、当該接続部３２３の突条３２５で当該フィルター３３を溶融接続し、固定している。これにより、ドリップ時に収容室３１１内のドリップ材料４０が濾過されるよう、当該フィルター３３により当該接続部３２３上の各貫通溝３２４が覆われている。当該シール３４はシート状であり、当該ケース３１の収容室３１１を密封するよう塞いでいる。本実施例において、当該ケース３１の側板３１２における第２端には、突設リング３１４が外側に延伸するよう設けられている。当該シール３４は、熱圧により当該ケース３１の突設リング３１４に貼り合わされて、当該ケース３１の収容室３１１を密封するよう塞いでいる。
【００１４】
図１１、図１２を参照して、本考案のドリップカプセル３０は、カプセル式ドリップ機５０に組み合わせて使用可能である。当該カプセル式ドリップ機５０には、当該ドリップカプセル３０を放置するための上部が開口した収容部５０１が設けられている。また、当該収容部５０１の開口側方には、回動することで当該収容部５０１の開口を開閉可能なカバープレート５０２が設けられている。また、当該収容部５０１の一方の側には、押動部材５１と給水口５２１を備えた給水管５２とが設けられている。当該押動部材５１及び給水管５２と、当該カバープレート５０２との間にはリンク群５３が連結されており、カバープレート５０２が回動すると、当該リンク群５３の連結によって、当該押動部材５１及び給水管５２が横方向に往復変位可能である。また、当該収容部５０１の他方の側には、複数のＶ型穿刺部５４１と導流経路５４２とを備えたガードプレート５４が設けられており、当該ガードプレート５４の導流経路５４２の下方には、漏斗状の出力管５５が設けられている。
【００１５】
図１２、図１３を参照して、ドリップ使用時には、ドリップカプセル３０を当該カプセル式ドリップ機５０の収容部５０１内に放置し、カバープレート５０２を回動する。すると、当該リンク群５３の連結により押動部材５１と給水管５２がドリップカプセル３０に向かって横方向に移動し、当該押動部材５１がドリップカプセル３０を押動するとともに、給水管５２が当該ドリップカプセル３０のケース３１の第１端における封止板３１３を穿刺する。これにより、当該給水管５２の給水口５２１が当該ケース３１の収容室３１１内に延伸する。一方で、ドリップカプセル３０が押動部材５１により押動されると、当該ガードプレート５４によってドリップカプセル３０のケース３１における第２端が当止され、当該ガードプレート５４の各穿刺部５４１がシール３４に複数の孔を穿刺する。
【００１６】
図１４、図１５を参照して、当該給水管５２の給水口５２１から当該ケース３１の収容室３１１内に適量の熱湯が注ぎ込まれる。熱湯が当該ケース３１の収容室３１１内に充満すると、熱湯の供給が停止され、ドリップ材料４０が熱湯内で所定の時間浸漬されることにより、茶液が抽出される。ここで、給水管５２の給水口５２１から当該ケース３１の収容室３１１内に熱湯が注ぎ込まれる際、この注ぎ込まれた熱湯は噴流して当該フレーム３２の各攪流片３２１に衝突する。また、当該各攪流片３２１は等分角度位置ごとにＶ型をなすよう配置されているため、当該フレーム３２の各攪流片３２１によって、当該収容室３１１内の熱湯が当該各攪流片３２１の周囲に螺旋乱流を形成し、攪流作用を発生させる。更に、当該熱湯の攪流作用によって、ドリップ材料４０が継続的に十分攪動されるため、ドリップ材料４０は熱湯内で十分に攪動されて収容室３１１内に分散することになる。よって、ドリップ材料４０の抽出効果が大幅に高まり、飲用時の口当りが向上するとの効果が得られる。
【００１７】
図１６を参照して、所定の浸漬時間に達すると、当該給水管５２の給水口５２１から当該ケース３１の収容室３１１内に再び熱湯が注ぎ込まれる。熱湯が再び注ぎ込まれると、当該ケース３１の収容室３１１内の圧力が高まることから、茶液がフレーム３２の接続部３２３における各貫通溝３２４を通過するよう流動する。これにより、当該フィルター３３が茶液を濾し取り、ドリップ材料４０が濾過される。本考案のフィルター３３は、ケース３１の第２端におけるフレーム３２に貼り合わせされて固定されている。そのため、ドリップ材料４０はメッシュバッグを用いて包装する必要がなく、収容室３１１内でそのまま攪動及び分散させることが可能である。即ち、メッシュバッグによって阻まれることがないため、ドリップ材料４０のより十分な攪動効果が得られる。最後に、茶液はガードプレート５４の各穿刺部５４１によってシール３４に穿刺された孔から排出され、導流経路５４２から出力管５５に流出し、飲用に供するべく出力される。また、給水管５２の給水口５２１が当該ケース３１の収容室３１１内に再び熱湯を注ぎ込むと、当該注ぎ込まれた熱湯は、同様に当該フレーム３２の各攪流片３２１の攪流作用によって、当該各攪流片３２１の周囲に螺旋乱流を形成する。そして、熱湯の攪流作用によって、ドリップ材料４０は再び十分に攪動されて、ドリップ抽出効果を再度向上させる。本考案によれば、ドリップ材料４０の抽出効果を大幅に向上可能なことから、これに伴ってドリップ材料４０のドリップ時間を効果的に短縮できるため、使用者の待ち時間が短縮される。また、飲用時の口当りや使用時の利便性の向上という実用的効果が得られる。
【００１８】
以上より、本考案は実用性と進歩性を備えた設計であり、同様の製品及び刊行物は公開されていないことから、考案特許の出願要件を満たしている。よって、法に基づき出願する。
【符号の説明】
【００１９】
１０    ドリップカプセル
１１    ケース
１１１  収容室
１１２  封止板
１２    メッシュバッグ
１３    シール
２０    カプセル式ドリップ機
２０１  収容部
２０２  カバープレート
２１    押動部材
２２    給水管
２２１  給水口
２３    リンク群
２４    ガードプレート
２４１  Ｖ型穿刺部
２４２  導流経路
２５    出力管
３０    ドリップカプセル
３１    ケース
３１１  収容室
３１２  側板
３１３  封止板
３１４  突設リング
３２    フレーム
３２１  攪流片
３２２  嵌合リング
３２３  接続部
３２４  貫通溝
３２５  突条
３３    フィルター
３４    シール
４０    ドリップ材料
５０    カプセル式ドリップ機
５０１  収容部
５０２  カバープレート
５１    押動部材
５２    給水管
５２１  給水口
５３    リンク群
５４    ガードプレート
５４１  Ｖ型穿刺部
５４２  導流経路
５５    出力管
【図１】
0003213514.tif 000003
【図２】
0003213514.tif 000004
【図３】
0003213514.tif 000005
【図４】
0003213514.tif 000006
【図５】
0003213514.tif 000007
【図６】
0003213514.tif 000008
【図７】
0003213514.tif 000009
【図８】
0003213514.tif 000010
【図９】
0003213514.tif 000011
【図１０】
0003213514.tif 000012
【図１１】
0003213514.tif 000013
【図１２】
0003213514.tif 000014
【図１３】
0003213514.tif 000015
【図１４】
0003213514.tif 000016
【図１５】
0003213514.tif 000017
【図１６】
0003213514.tif 000018
【手続補正書】
【提出日】平成29年9月7日(2017.9.7)
【手続補正１】
【補正対象書類名】実用新案登録請求の範囲
【補正対象項目名】全文
【補正方法】変更
【補正の内容】
【実用新案登録請求の範囲】
【請求項１】
周側に側板が設けられており、当該側板の第１端に封止板が設けられており、当該側板の第２端は開口状とされ、ケースの内部には収容室が形成されており、当該収容室にドリップ材料が充填されているケースと、
当該ケースの収容室に装着されるとともに、当該ケースの封止板に向かう複数の攪流片が突設されているフレームと、
当該ケースの収容室内のドリップ材料を濾過するよう、当該ケースの第２端に設けられたフィルターと、
当該ケースの第２端を密封するよう塞ぐシール、を含むドリップカプセルの構造。
【請求項２】
当該フレームには、当該ケースの第２端に嵌合される嵌合リングが設けられている請求項１記載のドリップカプセルの構造。
【請求項３】
当該嵌合リングの端面にはグリッド状の接続部が設けられており、当該グリッド状の接続部の間には複数の貫通溝が分布しており、当該接続部の一方の側面には、当該封止板に向かう複数の攪流片が一体的に接続されるよう突設されている請求項２記載のドリップカプセルの構造。
【請求項４】
当該接続部には、等分角度位置ごとに、Ｖ型をなす角度で配置される２つの攪流片がそれぞれ設けられている請求項３記載のドリップカプセルの構造。
【請求項５】
当該フィルターは、当該ケースの第２端における内リング面に固定されるか、或いは、当該フレーム上に固定されている請求項３記載のドリップカプセルの構造。
【請求項６】
当該フィルターは、当該フレームの接続部における他方の側面に固定されており、当該接続部の他方の側面には複数の突条が設けられており、且つ、高周波或いは熱圧によって、当該接続部上の突条で当該フィルターを溶融接続し、固定することで、当該収容室内のドリップ材料を濾過するよう、当該フィルターが当該接続部の各貫通溝を覆っている請求項５記載のドリップカプセルの構造。
【請求項７】
当該ケースの側板における第２端には、突設リングが外側に延伸するよう設けられており、当該シールは、熱圧により当該突設リングに貼り合わされて、当該ケースの第２端を密封するよう塞いでいる請求項１記載のドリップカプセルの構造。